(57)【要約】【課題】椎体に対してより確実、安定的に設置固定することのできる脊柱固定システム用の椎体プレートを提供する。【解決手段】椎体５における上下の終板５Ｕ，５Ｌとほぼ平行をなすように設置される上下の互に平行な直線縁部（Ｄ’Ｃ’），（ＡＢ）を備えた仮想の菱形の対向した鋭角部に対応した位置にスパイク７及びスクリュー挿通孔９を備え、かつ前記仮想菱形の対向した鈍角部に対応した位置にスパイク７を備え、さらに前記仮想菱形の前記鋭角部の突出側の縁部（ＡＤ’），（ＢＣ’）に突出部１１を備えた構成である。【選択図】　　　図１
2004097707.tif 000002
【特許請求の範囲】
【請求項１】
椎体における上下の終板とほぼ平行をなすように設置される上下の互にほぼ平行な直線縁部を備えた仮想の菱形の対向した鋭角部に対応した位置にスパイク及びスクリュー挿通孔を備え、かつ前記仮想菱形の対向した鈍角部に対応した位置にスパイクを備え、さらに前記仮想菱形の前記鋭角部の突出側の縁部に突出部を備えたことを特徴とする脊柱固定システム用の椎体プレート。
【発明の詳細な説明】
【０００１】
【発明の属する技術分野】
本発明は、脊柱固定システム用の椎体プレートに係り、さらに詳細には、椎体に対して設置容易な椎体プレートに関する。
【０００２】
【従来の技術】
従来の脊柱固定システムとしては、下面に複数のスパイクを備えた正方形状の横方向接続具にスロットを設け、このスロットの両端部に、離反している椎体を接続するためのロッドを係合する円弧状のロッド係合部を備え、かつ椎体に螺入したスクリューの頭部と係合する貫通穴を前記横方向接続具の中央部に形成した構成が採用されている（例えば特許文献１）。
【０００３】
【特許文献１】
特開平８−２２９０５２号公報
【０００４】
【発明が解決しようとする課題】
前述したごとき従来の構成においては、横方向接続具はスロットを形成したことにより二重構造となり、剛性が比較的大きく、椎体の周面の曲面に対応した状態に変形して接続具の接触面を大きくして椎体に設置することが厄介であるという問題がある。
【０００５】
【課題を解決するための手段】
本発明は、前述したごとき従来の問題に鑑みてなされたもので、椎体における上下の終板とほぼ平行をなすように設置される上下の互にほぼ平行な直線縁部を備えた仮想の菱形の対向した鋭角部に対応した位置にスパイク及びスクリュー挿通孔を備え、かつ前記仮想菱形の対向した鈍角部に対応した位置にスパイクを備え、さらに前記仮想菱形の前記鋭角部の突出側の縁部に突出部を備えた構成である。
【０００６】
【発明の実施の形態】
図１、図２に示すように、本実施例に係る椎体プレート１は、大きな外力を加えることによって僅かに塑性変形可能なプレート本体３を備え、このプレート本体３には、脊柱の椎体５に対して突刺し固定するための複数のスパイク７を備えていると共に、前記椎体５に螺入埋設するスクリュー（図示省略）が挿通する複数のスクリュー挿通孔９を備えている。
【０００７】
より詳細に説明すると、前記プレート本体３の形状は次のようにして形成してある。すなわち、図２に示すように、４つの角部が９０°をなす仮想の四角形ＡＢＣＤにおける角部Ｂ，Ｄを矢印Ｘ方向に押すと、菱形ＡＢＣ’Ｄ’に変形する。この場合、角部Ａ，Ｃ’は互に対向し鋭角になり、角部Ｂ，Ｄ’は互に対向し鈍角になる。そして、辺（ＡＢ），（Ｃ’Ｄ’）は、前記椎体５における上下の終板５Ｕ，５Ｌとほぼ平行状に保持され、直線縁部を構成する。そして、辺（ＡＤ’），（ＢＣ’）は、前記終板５Ｕ，５Ｌに対して傾斜した状態となる。この場合、辺（ＡＤ’）の角部Ａ側付近及び辺（ＢＣ’）の角部Ｃ’付近は、前記矢印Ｘ方向の押圧によって相対的に突出される態様となり、角部Ｂ，Ｄ’に対して突出側となる。すなわち、前記辺（ＡＤ’），（ＢＣ’）は、鋭角の角部Ａ，Ｃ’を相対的に突出形成したときの突出側の縁部となるものである。
【０００８】
ここで、角部Ａと角部Ｃ’は互に鋭角であって対向してあり、かつ角部Ｂと角部Ｄ’は互に鈍角であって対向してある。そして、前記角部Ａと角部Ｃ’とを結んだ直線Ｍと、角部Ｂと角部Ｄ’とを結んだ直線Ｎとの交点をＯとすると、この交点Ｏを中心として前記直線Ｍ上の対称位置に前記スクリュー挿通孔９の中心９Ｐが設けてある。またスクリュー挿通孔９の外側の対称位置に一対のスパイク７が設けてある。
【０００９】
すなわち、前記スクリュー挿通孔９及び一対のスパイク７は、鋭角の角部Ａ，Ｃ’に対応した位置に設けてある。なお、一対のスパイク７は前記直線Ｍ上に配置しても良く、また直線Ｍ上から許容範囲において僅かに位置をずらしても良いものである。さらに、前記交点Ｏを中心として前記直線Ｎ上の対称位置又はこの直線Ｎ上から位置ずれした対称位置には一対のスパイク７が設けられている。すなわち、この一対のスパイク７は、鈍角の角部Ｂ，Ｄ’に対応した位置に設けられているものである。
【００１０】
前記プレート本体３の前記角部Ａ，Ｂ，Ｃ’，Ｄ’は、前記スクリュー挿通孔９の中心から前記辺（ＡＢ），（Ｃ’Ｄ’）までの寸法にほぼ等しい半径Ｒで円弧状に形成してある。そして、辺（ＡＤ’）、（ＢＣ’）側の角部Ａ，Ｃ’付近は、前記スクリュー挿通孔９の中心に対応した部分が前記突出側方向（前記矢印Ｘ方向）へ最も突出した形状となるように形成してあり、角部Ａ側の半径Ｒの円弧状部と角部Ｄ’側の円弧状部はプレート本体３の外側に位置する中心から大きな半径Ｓの円弧によって接続してある。前記角部Ｂ側の円弧状部と角部Ｃ’側の円弧状部も同じく半径Ｓの円弧によって接続してある。
【００１１】
したがって、プレート本体３は、図２に示すように、プレート本体３の上下の辺（ＡＢ），（Ｃ’Ｄ’）が椎体５の上下の終板５Ｕ、５Ｌにほぼ平行であって、椎骨の椎弓根５Ａに対応した角部Ｃ’が上記椎弓根５Ａ側へ突出した突出部１１を備えた態様の形状であって、前記交点Ｏを中心とするほぼ点対称の形状である。そして、図３に示すように、プレート本体３は、椎体５の周面に対応可能なように僅かに湾曲してある。なお、前記構成において、許容範囲において点対称の形状を変形することも可能である。
【００１２】
図５は前記椎体プレート１と対称形状の椎体プレート１を示すもので、その形状が対称形をなすのみであって、その他の構成は同一であるから、同一機能を奏する構成部分には同一符号を付することとして詳細な説明は省略する。
【００１３】
以上のごとき構成において、前記椎体プレート１は、脊柱において離隔した椎体５に複数のスクリューを螺入埋設し、このスクリューの頭部に形成したロッド係合部でもって椎体接続用のロッドの端部付近を支持固定する脊柱固定システム用に使用されるものであって、前記スクリューを椎体５に螺入埋設する前に椎体５に固定されるものである。
【００１４】
脊柱を構成する椎体５は、良く知られているように、１つとして同一形状寸法のものはないが、その形状寸法に対応した椎体プレート１が選択される。そして、椎体５に椎体プレート１を設置するには、椎体５に対して設置すべき表面形状にほぼ対応するように椎体プレート１を変形する。この際、椎体５の表面の凹凸に対応して突出部１１付近や全体を比較的変形し易く、椎体５に対する椎体プレート１の接触面積をより大きくすることができるものである。
【００１５】
したがって、椎体プレート１に備えた複数のスパイク７を椎体５に突刺して固定したとき、椎体５に椎体プレート１をより確実に固定することができるものである。
【００１６】
上述のように椎体プレート１を離隔した椎体５にそれぞれ固定した後、各椎体プレート１に備えたスクリュー挿通孔９をガイドとしてスクリューを各椎体５に螺入埋設し、このスクリューの頭部に備えたロッド係合部でもって椎体接続用のロッドの端部付近を支持固定することにより、離隔した椎体５の接続が行われ、脊柱の固定が行われ得るものである。
【００１７】
【発明の効果】
以上のごとき説明より理解されるように、本発明によれば、椎体プレートを設置すべき椎体の外表面の凹凸に対応して椎体プレートを変形可能であり、椎体の設置位置に対する椎体プレートの接触面積をより大きくでき、椎体に対する椎体プレートの設置をより確実、安定的に行うことができ、前述したごとき従来の問題を解消し得るものである。
【図面の簡単な説明】
【図１】本発明の実施の形態に係る椎体プレートの傾斜説明図である。
【図２】同状の形状を説明するための平面説明図である。
【図３】同上の断面説明図である。
【図４】椎体プレートの底面説明図である。
【図５】対称形状の椎体プレートの説明図である。
【符号の説明】
１…椎体プレート
３…プレート本体
５…椎体
７…スパイク
９…スクリュー挿通孔
１１…突出部
【図１】
2004097707.tif 000003
【図２】
2004097707.tif 000004
【図３】
2004097707.tif 000005
【図４】
2004097707.tif 000006
【図５】
2004097707.tif 000007